(57)【特許請求の範囲】
【請求項１】
取手の先端部の１対の延出片に取手の長手方向と直角な支軸を介して回転ブラシを回転自在に支持した歯ブラシにおいて、取手が略直線状の握り部と、この握り部と回転ブラシの間にあって握り部の中心線延長線から滑らかな円弧状に離れた細い口内挿入部とから成り、回転ブラシの支軸が概ね握り部の中心線延長線上に配置されており、延出片に支軸を中心として回転ブラシ側へ向かう環状突起を設けて回転ブラシの両端部の素糸の回転中の乱れを防止し、回転ブラシの両端外周縁部にＲ部を設けて歯茎への大きい刺激を防止するようにしたことを特徴とする、歯ブラシ。
【請求項２】
回転ブラシの素糸が直径０．０７６〜０．１５ｍｍの極細とされている、請求項１に記載の歯ブラシ。
【発明の詳細な説明】
【０００１】
【発明の属する技術分野】
本発明は、取手の先端部に取手の長手方向と直角な支軸を介して回転ブラシを回転自在に支持した歯ブラシに関する。
【０００２】
【従来の技術】
従来、図７のように、取手１の先端側の１対の延出片２に取手１の長手方向と直角な支軸３を介して回転ブラシ４を回転自在に支持した歯ブラシ５は、例えば特開２０００−８３７３６号などで知られている。その場合の取手１は太い握り部１ａと、中間部が握り部１ａよりやや細くされた口内挿入部１ｂから成り、回転ブラシ４の支軸３は握り部１ａの中心線延長線よりやや上方へ偏倚している。その構造によると、回転ブラシ４で奥歯の裏側（握り部１ａと反対側）を磨く時に太い口内挿入部１ｂが邪魔になり（手前の奥歯に当たり）、上記の奥歯の裏側を充分磨くことができない。しかも、取手１を回しながら磨く時も太い直線状の口内挿入部１ｂが邪魔になり、回転ブラシ４を歯の左右側面等に自由に当てることが不可能になる不具合がある。更に、上記歯ブラシの実施品の素糸の直径は０．１５ｍｍより太いものであるため、歯間に毛先が入りにくく、特に歯間の清掃効果に満足できない欠点は避けられない。
【０００３】
【発明が解決しようとする課題】
本発明は、歯の清掃効果を高めることを目的としている。
【０００４】
【課題を解決するための手段】
請求項１の発明は、取手の先端部の１対の延出片に取手の長手方向と直角な支軸を介して回転ブラシを回転自在に支持した歯ブラシにおいて、取手が略直線状の握り部と、この握り部と回転ブラシの間にあって握り部の中心線延長線から滑らかな円弧状に離れた細い口内挿入部とから成り、回転ブラシの支軸が概ね握り部の中心線延長線上に配置されており、延出片に支軸を中心として回転ブラシ側へ向かう環状突起を設けて回転ブラシの両端部の素糸の回転中の乱れを防止し、回転ブラシの両端外周縁部にＲ部を設けて歯茎への大きい刺激を防止するようにしたことを特徴とする、歯ブラシである。
【０００５】
請求項２の発明は、回転ブラシの素糸が直径０．０７６〜０．１５ｍｍの極細とされている、請求項１に記載の歯ブラシである。
【０００６】
【発明の実施の形態】
図１は、本発明による歯ブラシ１０の正面を示しており、ナイロン（登録商標）のような熱可塑性樹脂製の取手１１は掴み易い太さの（太い）握り部１１ａと、口に入れても邪魔にならない細さ（例えば直径が約５ｍｍ）の口内挿入部１１ｂから成り、口内挿入部１１ｂは握り部１１ａの左端から握り部１１ａの中心線１２の延長線１２ａから下方へ滑らかな円弧状に約５ｍｍ以上偏倚した後に並行に延びて略アーチ形を呈しており、２個の一体成型されている延出片１３で支持されているナイロン製の支軸１４は延長線１２ａ上に位置している。口内挿入部１１ｂの首に相当する部分の長さＬは、例えば比較的に長い５５ｍｍである。首が細くて長いため、奥歯に毛先が届きやすくなり、アーチ（円弧状部分）を大きくしているため、口の中のあるゆる場所に回転ブラシ１５を転がしやくくなる。
【０００７】
回転ブラシ１５は、支軸１４上に回転自在に支持されているナイロンのような熱可塑性樹脂製のボス筒１６から同じくナイロン６１２製の極細（例えば直径０．０７６〜０．１５ｍｍ）の素糸１５ａが密に放射状に起毛した構造を備えており、回転ブラシ１５と取手１１の最も高い位置を結ぶ線１７よりも全ての取手１１の部分は低い位置を占めている。即ち、取手１１の握り部１１ａは図１の右端部から左方へ行くに連れて低下すると共に薄くなり、左端部で更に上下高さの小さい口内挿入部１１ｂ（やや偏平な円形断面・・・図２のＢ参照）に接続している。
【０００８】
図２のＡは図１のII矢視平面部分図（回転ブラシを除いている）であり、１８は窓孔である。Ｂは対応部分の断面形状を示している。
【０００９】
図３のＡは図２のIII−III断面拡大図、Ｂは図３ＡのＢ−Ｂ断面図、Ｃは支軸１４の装着（かしめ）前の状態を示す平面図である。Ｂの１９は環状突起であり、回転ブラシ１５の端部の素糸の回転中における乱れを防止する機能を有する。また、２０は支軸固定用の２段の孔である。
【００１０】
例えば図４のように、回転式の本件歯ブラシ１０で奥歯２２の裏側（図の左側）を磨く場合に、アーチ形の細い口内挿入部１１ｂが隣の奥歯から上方へ充分離れるので、邪魔にならず、取手１１を回動させて回転ブラシ１５を左右に動かすことにより奥歯２２の裏側全体を確実に磨くことができる。回転ブラシ１５を左右に傾ける場合に支軸１４が取手中心線１２の延長線１２ａ上にあるため、回転操作がし易くなり、清掃効果が向上する。矯正装置、ブラケットやワイヤーの装着者もそれらの部分をたやすく清掃することができる。義歯装着時にクランプの部分も簡単に磨くことができる。植毛が密であるため、その中に汚れがよく吸い取られる利点がある。極細毛を高密度植毛したことにより、毛先が狭い隙間や、歯周ポケットに入り込み、歯垢や汚れを落す。高密度植毛と回転ヘッド機構により、ブラシが歯の表面にピッタリフィットし、毛先が束になってブルドーザーのように頑固な歯垢を落す。
【００１１】
図５のＡのように、奥歯２２の側面に対して回転ブラシ１５を左方へ移動させると、細い素糸１５ａが歯と歯の間に入り込み、間の歯垢を除去すると共に、進行方向前側（左側）のブラシの毛先は、ブラシが転がるため、Ｂのように歯の側面の歯垢２５をはがすように落す。この点は、Ｃ、Ｄで示す従来の歯ブラシが、歯垢２５や汚れをなでるように擦っていたのと大幅に相違する。
【００１２】
【表１】
0004015464.tif 000002
【００１３】
表１は、従来の各種歯ブラシと本発明による歯ブラシ（商品名：コロピー）の比較表であり、表中の−は比較対象にならないものを示し、※１は、噴射力が弱いと歯間の汚れ等は飛ばしてくれない、そのため強くすると歯ぐきの弱っている所を傷付け、出血が止まらなくなる場合があることを示している。表１内のコロピーのブラシ素糸の本数３３６０本〜１２６００本は、素糸の密度が大きいことを示しており、ボス筒直径：６〜７ｍｍ、ボス筒長さ：９ｍｍ、回転ブラシ外径：１６〜１７ｍｍの場合である。
【００１４】
なお、本発明を実施する際に、回転歯ブラシで極細線のホイールの場合、どうしても図６のＢの素糸１５ｂのように、素糸が外側に倒れ易いのであるが、この問題を解決するために、図６のＡのように、図３Ｂの環状突起１９に相当する環状のサイドガード１９ａを設けることにより、上記の倒れを防止することができる。
【００１５】
また、図６のＡの一部を示すＣのように、回転歯ブラシのローラーホイールで歯茎をマッサージする時に角部が歯茎に大きい刺激を与えることを防ぐため、図６のＡの右下部にＣのようにＲ部を設ける。これにより受ける刺激が大幅に少なくなる。
【００１６】
回転歯ブラシのブラシホイールに、毛の種類を何種類か混合させることにより、超極細の毛のガードができる。その超極細（平歯ブラシの約１／６の面積比）の毛の役目は、歯間やポケットに入りやすくするためと、または、毛の長さを変える（例えば細い毛を短くする）ことでも極細毛の倒れの防止である。図６のＡの上部に対応するＤは、柔らかい毛と硬い毛の２種類の群が交互に設けられた例を示している。
【００１７】
支軸１４の代わりに、回転ブラシ１５のボス筒１６を軸状に形成して延出片１３の孔で支承してもよい。また、素糸１５ａの太さ（直径）は、好ましくは０．０８〜０．１２ｍｍ、更に好ましくは０．１ｍｍである。素糸１５ａの毛先を丸く仕上げると、歯、歯茎、舌、歯肉、口蓋などの清掃を安全かつ確実に進めることができ、特に乳歯萌出前の乳幼児にも使える利点が生ずる。
【００１８】
【発明の効果】
請求項１の発明によると、口の中のあらゆる場所でブラシを転がし易くなり、歯に対する清掃効果が大幅に向上する。また回転ブラシ１５の端部の素糸の回転中における乱れを防止し得る。さらに回転ブラシのローラーホイールで歯茎をマッサージする時に角部が歯茎に大きい刺激を与えることを防止することができる。
【００１９】
請求項２の発明によると、毛が細いため、歯の間に毛が入る時または出る時に毛先はツルリと滑り込むように入ったり出たりして、歯垢を確実に削り取る。しかもその時に細かい泡がはじけてキャビテーション（超音波）を発生させて洗浄作用を更に高め得る。
【図面の簡単な説明】
【図１】  本発明による歯ブラシの正面図である。
【図２】  図１のII矢視平面部分図と各部断面図である。
【図３】  図２のIII-III断面図等である。
【図４】  磨き作業の説明図である。
【図５】  磨き作業の別の説明図である。
【図６】  各種の変形実施例を示す図面である。
【図７】  従来の歯ブラシの一例を示す斜視図である。
【符号の説明】
１０            歯ブラシ
１１            取手
１１ａ          握り部
１１ｂ          口内挿入部
１２ａ          延長線
１４            支軸
１５            回転ブラシ
【図１】
0004015464.tif 000003
【図２】
0004015464.tif 000004
【図３】
0004015464.tif 000005
【図４】
0004015464.tif 000006
【図５】
0004015464.tif 000007
【図６】
0004015464.tif 000008
【図７】
0004015464.tif 000009